(57)【要約】【課題】  対物レンズの傾角調整を安価な構造で容易に行うこと。【解決手段】  対物レンズＯＬ付きレンズホルダ４を支持するアクトベース２がオプチベース１上に配置され、２本の傾角調整ボルト１３がオプチベース１の貫通孔１２を通ってアクトベース２のねじ孔１１にそれぞれ螺合され、その両傾角調整ボルト１３から所定間隔離れた位置でアクトベース２をオプチベース１に向けて付勢する調整ばね１７が設けられており、傾角調整により対物レンズＯＬの光軸Ｏ１を半導体レーザから発したレーザ光の光軸Ｏ２と一致させ、アクトベース２をオプチベース１に接着剤ＵＶで固定するようにした光ピックアップにおいて、調整ばね１７をオプチベース１の押さえ部２０Ａとアクトベース２の受座部２Ａとの間に挿入し、該調整ばね１７を引っ張ることにより、その調整ばね１７を押さえ部２０Ａと受座部２Ａとの間から離脱させるようにした。【選択図】        図２
2007149247.tif 000002
【特許請求の範囲】
【請求項１】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースの挿通孔を通ってオプチベースのねじ孔に支持ボルトが螺着され、該支持ボルト
に遊嵌されてアクトベースをオプチベースに向けて付勢する調整ばねが設けられており、
その調整ばねに抗して各傾角調整ボルトのねじ込み量を調整してアクトベースの位置を微
調整することにより、対物レンズの光軸を半導体レーザから発したレーザ光の光軸と一致
させ、アクトベースをオプチベースに接着剤で固定するようにした光ピックアップにおい
て、前記支持ボルトを省略し、前記調整ばねの一端部に対向する押さえ部が脚部を介して
前記オプチベースに一体形成されると共に、前記調整ばねの他端部に対向する受座部がア
クトベースに一体形成され、前記押さえ部のばね対向面に、前記調整ばねの内径と同径ま
たが若干小径の先すぼまり状位置決め突起部が一体突設され、該位置決め突起部の外周縁
の所定位置から受座部に向けて延びるストッパがその位置決め突起部に一体形成され、そ
のストッパから位置決め突起部の中心を通る仮想線に沿って挿入方向が設定されると共に
、その挿入方向から所定の対向角度をおいて脱去方向が設定され、挿入方向及び脱去方向
に沿って受座部のばね対向面の中央からその先端まで凹段部が形成されており、挿入方向
に沿って調整ばねの一端部をストッパ付き位置決め突起部に嵌合させると共に、該調整ば
ねの他端部を前記受座部上に挿入して凹段部に当接させ、脱去方向に沿って調整ばねを引
っ張ることにより、その調整ばねを押さえ部と受座部との間から離脱させるようにしたこ
とを特徴とする光ピックアップ。
【請求項２】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースをオプチベースに向けて付勢する調整ばねが設けられており、その調整ばねに抗
して各傾角調整ボルトのねじ込み量を調整してアクトベースの位置を微調整することによ
り、対物レンズの光軸を半導体レーザから発したレーザ光の光軸と一致させ、アクトベー
スをオプチベースに接着剤で固定するようにした光ピックアップにおいて、前記調整ばね
の一端部に対向する押さえ部が脚部を介して前記オプチベースに一体形成されると共に、
該調整ばねの他端部に対向する受座部がアクトベースに一体形成されており、前記調整ば
ねを押さえ部と受座部との間に挿入し、該調整ばねを引っ張ることにより、その調整ばね
を押さえ部と受座部との間から離脱させるようにしたことを特徴とする光ピックアップ。
【請求項３】
前記押さえ部のばね対向面に、前記調整ばねの内径と同径またが若干小径の先すぼまり
状位置決め突起部が一体突設され、該位置決め突起部の外周縁の所定位置から受座部に向
けて延びるストッパがその位置決め突起部に一体形成され、そのストッパから位置決め突
起部の中心を通る仮想線に沿って挿入方向が設定されると共に、その挿入方向から所定の
対向角度をおいて脱去方向が設定されており、挿入方向に沿って調整ばねの一端部をスト
ッパ付き位置決め突起部に嵌合させると共に、該調整ばねの他端部を前記受座部のばね対
向面上に挿入し、脱去方向に沿って調整ばねを引っ張ることにより、その調整ばねを押さ
え部と受座部との間から離脱させるようにしたことを特徴とする請求項２に記載の光ピッ
クアップ。
【請求項４】
前記挿入方向及び脱去方向に沿って受座部のばね対向面の中央からその先端まで凹段部
が形成されており、挿入方向に沿って調整ばねの他端部を前記受座部上に挿入して凹段部
に当接させ、脱去方向に沿って調整ばねの他端部を凹段部から離脱させるようにしたこと
を特徴とする請求項３に記載の光ピックアップ。
【請求項５】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースをオプチベースに向けて付勢する調整ばねが設けられており、その調整ばねに抗
して各傾角調整ボルトを操作することにより、対物レンズの光軸が半導体レーザから発し
たレーザ光の光軸と一致するようにアクトベースの位置を微調整し、該アクトベースをオ
プチベースに接着剤で固定するようにした光ピックアップにおいて、前記調整ばねの一端
部に対向する押さえ部が脚部を介して前記オプチベースに一体形成されると共に、前記調
整ばねの他端部に対向する受座部がアクトベースに一体形成され、所定の対向角度をおい
て設定した挿入方向と脱去方向とに沿って押さえ部及び受座部のばね対向面の中央からそ
の先端まで凹段部が形成され、該各凹段部の挿入方向側の外周縁にその各凹段部よりも若
干高くした抜止突条が一体形成されており、挿入方向に沿って調整ばねの両端部を各抜止
突条を越えて押さえ部と受座部との間に挿入することにより各凹段部に当接させ、脱去方
向に沿って調整ばねを引っ張ることにより、その調整ばねを押さえ部と受座部との間から
離脱させるようにしたことを特徴とする光ピックアップ。
【発明の詳細な説明】
【技術分野】
【０００１】
本発明は、対物レンズの傾角調整を安価な構造で容易に行うことができるようにした光
ピックアップに関する。
【背景技術】
【０００２】
従来、光ピックアップに関する技術として特許文献１などの記載したものがあり、その
一例を図８〜図１０に基づいて説明すると、これは、一側縁に形成したラック１ａに噛合
するピニオン（図示せず）を正逆回転させることによりディスクＤの半径方向に沿って往
復移動可能な合成樹脂製オプチベース１を有し、該オプチベース１の天板部１Ａに一体形
成した受支台１ｂに金属板製アクトベース２の下面に一体突設した突起部２ａを揺動可能
に係合させることのより、そのアクトベース２がオプチベース１の天板部１Ａ上に所定間
隔αをおいて配置されている。
【０００３】
前記アクトベース２のほぼ中央に立設したシャフト３に摺動及び揺動可能に嵌合するレ
ンズホルダ４に対物レンズＯＬが配置され、該レンズホルダ４のボス４ａにフォーカスコ
イル５と磁性片６とが外嵌されると共に、そのレンズホルダ４の外側面にトラッキングコ
イル７が固着され、レンズホルダ４を間に挟んで一対のマグネット８がアクトベース２か
ら起立する左右一対の側板部２ｂ，２ｃにそれぞれ固着されており、両マグネット８と磁
性片６との間で作用する磁気ばねによりレンズホルダ４を浮かせた状態で、プリント配線
９を介してフォーカスコイル５に通電することにより、レンズホルダ４をシャフト３に沿
ってフォーカス方向ａ，ｂに摺動させると共に、トラッキングコイル７に通電することに
より、レンズホルダ４をシャフト３回りでトラッキング方向ｃ，ｄに揺動させ、ディスク
Ｄの所定のトラックを追従する。
【０００４】
前記アクトベース２に所定間隔をおいて略Ｌ字状連結枠２ｄ，２ｅが一体形成されると
共に、該各連結枠２ｄ，２ｅの先端部に形成したねじ孔１１に対向してオプチベース１の
天板部１Ａに貫通孔１２が同心状に形成されており、２本の傾角調整ボルト１３を各貫通
孔１２を通って各連結枠２ｄ，２ｅのねじ孔１１に螺合させると共に、該各傾角調整ボル
ト１３の頭部１３ａを天板部１Ａの下面に当接させ、その両傾角調整ボルト１３から所定
間隔離れた位置でアクトベース２に一体突設した受座部２Ａに挿通孔１４が貫設されると
共に、該挿通孔１４に対向して天板部１Ａにねじ孔１５が同心状に形成されており、１本
の支持ボルト１６を挿通孔１４を通ってねじ孔１５に螺合させ、該支持ボルト１６の頭部
１６ａと受座部２Ａとの間でその支持ボルト１６に遊嵌することによりアクトベース２を
オプチベース１に向けて付勢する調整ばね１７が設けられており、その調整ばね１７に抗
して各傾角調整ボルト１３のねじ込み量を調整してアクトベース２の位置を微調整するこ
とにより、対物レンズＯＬの光軸Ｏ１をラジアル方向ｅ，ｆ及びタンゼンシャル方向ｇ，
ｈに傾動させて、その対物レンズＯＬの光軸Ｏ１を半導体レーザ（図示せず）から発した
レーザ光の光軸Ｏ２と一致させ、該アクトベース２と天板部１Ａとの間の複数箇所に紫外
線硬化性接着剤ＵＶを充填し、該接着剤ＵＶに紫外線を照射して硬化させることにより、
そのアクトベース２をオプチベース１に固定する。なお、図９中、ＱＷＰはコリメータレ
ンズである。
【特許文献１】特開２００３−３１７２６５号公報
【発明の開示】
【発明が解決しようとする課題】
【０００５】
上記従来の構成では、対物レンズＯＬの傾角調整を行うために、２本の傾角調整ボルト
１３の他に、支持ボルト１６及び調整ばね１７を用いているが、接着剤ＵＶでアクトベー
ス２をオプチベース１に固定した後は、その支持ボルト１６及び調整ばね１７が不要とな
り、それらを用いている分だけコストアップになっている。また、調整ばね１７の取付作
業に手間と時間とがかかって面倒であり、支持ボルト１６の過度のねじ込みによりねじ孔
１５が破壊されることもある。
【０００６】
本発明は、上記従来の欠点に鑑み、対物レンズの傾角調整を安価な構造で容易に行うこ
とができるようにした光ピックアップを提供することを目的としている。
【課題を解決するための手段】
【０００７】
上記目的を達成するため、請求項１に記載の発明は、対物レンズ付きレンズホルダを支
持するアクトベースがオプチベース上に配置され、２本の傾角調整ボルトがオプチベース
の貫通孔を通ってアクトベースに所定間隔をおいて形成したねじ孔にそれぞれ螺合され、
その両傾角調整ボルトから所定間隔離れた位置でアクトベースの挿通孔を通ってオプチベ
ースのねじ孔に支持ボルトが螺着され、該支持ボルトに遊嵌されてアクトベースをオプチ
ベースに向けて付勢する調整ばねが設けられており、その調整ばねに抗して各傾角調整ボ
ルトのねじ込み量を調整してアクトベースの位置を微調整することにより、対物レンズの
光軸を半導体レーザから発したレーザ光の光軸と一致させ、アクトベースをオプチベース
に接着剤で固定するようにした光ピックアップにおいて、前記支持ボルトを省略し、前記
調整ばねの一端部に対向する押さえ部が脚部を介して前記オプチベースに一体形成される
と共に、前記調整ばねの他端部に対向する受座部がアクトベースに一体形成され、前記押
さえ部のばね対向面に、前記調整ばねの内径と同径またが若干小径の先すぼまり状位置決
め突起部が一体突設され、該位置決め突起部の外周縁の所定位置から受座部に向けて延び
るストッパがその位置決め突起部に一体形成され、そのストッパから位置決め突起部の中
心を通る仮想線に沿って挿入方向が設定されると共に、その挿入方向から所定の対向角度
をおいて脱去方向が設定され、挿入方向及び脱去方向に沿って受座部のばね対向面の中央
からその先端まで凹段部が形成されており、挿入方向に沿って調整ばねの一端部をストッ
パ付き位置決め突起部に嵌合させると共に、該調整ばねの他端部を前記受座部上に挿入し
て凹段部に当接させ、脱去方向に沿って調整ばねを引っ張ることにより、その調整ばねを
押さえ部と受座部との間から離脱させるようにしたことを特徴としている。
【０００８】
請求項２に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースをオプチベースに向けて付勢する調整ばねが設けられ
ており、その調整ばねに抗して各傾角調整ボルトのねじ込み量を調整してアクトベースの
位置を微調整することにより、対物レンズの光軸を半導体レーザから発したレーザ光の光
軸と一致させ、アクトベースをオプチベースに接着剤で固定するようにした光ピックアッ
プにおいて、前記調整ばねの一端部に対向する押さえ部が脚部を介して前記オプチベース
に一体形成されると共に、該調整ばねの他端部に対向する受座部がアクトベースに一体形
成されており、前記調整ばねを押さえ部と受座部との間に挿入し、該調整ばねを引っ張る
ことにより、その調整ばねを押さえ部と受座部との間から離脱させるようにしたことを特
徴としている。
【０００９】
請求項３に記載の発明は、請求項２に記載の発明において、前記押さえ部のばね対向面
に、前記調整ばねの内径と同径またが若干小径の先すぼまり状位置決め突起部が一体突設
され、該位置決め突起部の外周縁の所定位置から受座部に向けて延びるストッパがその位
置決め突起部に一体形成され、そのストッパから位置決め突起部の中心を通る仮想線に沿
って挿入方向が設定されると共に、その挿入方向から所定の対向角度をおいて脱去方向が
設定されており、挿入方向に沿って調整ばねの一端部をストッパ付き位置決め突起部に嵌
合させると共に、該調整ばねの他端部を前記受座部のばね対向面上に挿入し、脱去方向に
沿って調整ばねを引っ張ることにより、その調整ばねを押さえ部と受座部との間から離脱
させるようにしたことを特徴としている。
【００１０】
請求項４に記載の発明は、請求項３に記載の発明において、前記挿入方向及び脱去方向
に沿って受座部のばね対向面の中央からその先端まで凹段部が形成されており、挿入方向
に沿って調整ばねの他端部を前記受座部上に挿入して凹段部に当接させ、脱去方向に沿っ
て調整ばねの他端部を凹段部から離脱させるようにしたことを特徴としている。
【００１１】
請求項５に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースをオプチベースに向けて付勢する調整ばねが設けられ
ており、その調整ばねに抗して各傾角調整ボルトを操作することにより、対物レンズの光
軸が半導体レーザから発したレーザ光の光軸と一致するようにアクトベースの位置を微調
整し、該アクトベースをオプチベースに接着剤で固定するようにした光ピックアップにお
いて、前記調整ばねの一端部に対向する押さえ部が脚部を介して前記オプチベースに一体
形成されると共に、前記調整ばねの他端部に対向する受座部がアクトベースに一体形成さ
れ、所定の対向角度をおいて設定した挿入方向と脱去方向とに沿って押さえ部及び受座部
のばね対向面の中央からその先端まで凹段部が形成され、該各凹段部の挿入方向側の外周
縁にその各凹段部よりも若干高くした抜止突条が一体形成されており、挿入方向に沿って
調整ばねの両端部を各抜止突条を越えて押さえ部と受座部との間に挿入することにより各
凹段部に当接させ、脱去方向に沿って調整ばねを引っ張ることにより、その調整ばねを押
さえ部と受座部との間から離脱させるようにしたことを特徴としている。
【発明の効果】
【００１２】
請求項１に記載の発明は第１の実施の形態（図１〜図５参照）に対応するものであって
、これによれば、オプチベースの押さえ部とアクトベースの受座部との間に調整ばねを挿
入し、対物レンズの傾角調整を行ってアクトベースをオプチベースに接着剤で固定した後
、前記調整ばねを押さえ部と受座部との間から離脱させるようになっており、該調整ばね
を傾角調整の治具として使用するだけで光ピックアップの構成部品とせず、しかも、従来
の調整ばね用支持ボルトに相当するものも不要であるから、その調整ばね及び支持ボルト
を省略した分だけ部品点数が少なくなり、構造が簡単で製作費を安くすることができる。
【００１３】
前記押さえ部のばね対向面に一体突設した位置決め突起部が先すぼまり状に形成されて
いるから、該位置決め突起部に調整ばねの一端部を挿入方向に沿って押し付けるだけで、
その位置決め突起部に対して調整ばねの一端部を容易に嵌合させることができ、また、位
置決め突起部にストッパが一体形成されているので、該位置決め突起部に嵌合させた調整
ばねの一端部を挿入方向とは逆向きに引っ張っても、該調整ばねの一端部がストッパに引
っ掛かって位置決め突起部から外れることがない。
【００１４】
更に、前記調整ばねの他端部を挿入方向に沿って受座部上に挿入して凹段部に当接させ
ると、該調整ばねの他端部が凹段部の段差端面に当たって停止されるので、その調整ばね
の他端部を凹段部上の所望位置に確実に位置決めすることができる。
【００１５】
しかも、調整ばねを脱去方向に引っ張るだけで、該調整ばねの一端部を前記ストッパに
阻止されることなく位置決め突起部から容易に離脱させることができると共に、その調整
ばねの他端部を凹段部上から容易に離脱させることができる。
【００１６】
請求項２に記載の発明は基本形態に対応するものであって、これによれば、オプチベー
スの押さえ部とアクトベースの受座部との間に調整ばねを挿入し、対物レンズの傾角調整
を行ってアクトベースをオプチベースに接着剤で固定した後、前記調整ばねを押さえ部と
受座部との間から離脱させるようになっており、該調整ばねを傾角調整の治具として使用
するだけで光ピックアップの構成部品とせず、しかも、従来の調整ばね用支持ボルトに相
当するものも不要であるから、その調整ばね及び支持ボルトを省略した分だけ部品点数が
少なくなり、構造が簡単で製作費を安くすることができる。
【００１７】
請求項３に記載の発明によれば、押さえ部のばね対向面に一体突設した位置決め突起部
が先すぼまり状に形成されているから、該位置決め突起部に調整ばねの一端部を挿入方向
に沿って押し付けるだけで、その位置決め突起部に対して調整ばねの一端部を容易に嵌合
させることができ、また、位置決め突起部にストッパが一体形成されているので、該位置
決め突起部に嵌合させた調整ばねの一端部を挿入方向とは逆向きに引っ張っても、該調整
ばねの一端部がストッパに引っ掛かって位置決め突起部から外れることがなく、その調整
ばねを押さえ部と受座部との間に確実に保持することができ、更に、調整ばねを脱去方向
に引っ張るだけで、該調整ばねの一端部を前記ストッパに阻止されることなく位置決め突
起部から容易に離脱させることができる。
【００１８】
請求項４に記載の発明によれば、調整ばねの他端部を挿入方向に沿って受座部上に挿入
して凹段部に当接させると、該調整ばねの他端部が凹段部の段差端面に当たって停止され
るので、その調整ばねの他端部を凹段部上の所望位置に確実に位置決めすることができ、
また、調整ばねを脱去方向に引っ張るだけで、その調整ばねの他端部を凹段部上から容易
に離脱させることができる。
【００１９】
請求項５に記載の発明は第２の実施の形態（図６及び図７参照）に対応するものであっ
て、これによれば、請求項１に記載の発明とほぼ同じ効果を得ることができ、特に、挿入
方向に沿って調整ばねの両端部を各抜止突条を越えて押さえ部と受座部との間に挿入して
各凹段部に当接させると、該調整ばねの両端部が各凹段部の段差端面に当たって停止され
るので、その調整ばねの両端部を凹段部上の所望位置に確実に位置決めすることができ、
また、調整ばねを挿入方向とは逆向きに引っ張っても、該調整ばねの両端部が前記各抜止
突条に当たるので、その調整ばねを押さえ部と受座部との間に確実に保持することができ
、更に、調整ばねを脱去方向に引っ張るだけで、該調整ばねの両端部を押さえ部と受座部
との間から容易に離脱させることができる。
【発明を実施するための最良の形態】
【００２０】
図１〜図５は本発明の第１の実施の形態である光ピックアップを示すものであって、ア
クトベース２の受座部２Ａに隣接して合成樹脂製オプチベース１に略Ｌ字状枠体２０が一
体突設され、該枠体２０が、受座部２Ａに対向する押さえ部２０Ａと、該押さえ部２０Ａ
をオプチベース１に一体連結する脚部２０Ｂとからなっている。
【００２１】
図４に示すように、前記押さえ部２０Ａのばね対向面に円錐形状位置決め突起部２１が
一体突設され、該位置決め突起部２１の外径ｔ１が調整ばね１７の内径ｔ２と同径またが
若干小径に設定され、前記位置決め突起部２１の外周縁の所定位置から受座部２Ａに向け
て延びる略三角錐状ストッパ２２がその位置決め突起部２１に一体形成され、そのストッ
パ２２から位置決め突起部２１の中心Ｏ３を通る仮想線Ｓに沿って挿入方向Ｅが設定され
ると共に、その挿入方向Ｅから所定の対向角度β（この実施の形態では９０°）をおいて
脱去方向Ｆが設定され、挿入方向Ｅ及び脱去方向Ｆに沿って受座部２Ａのばね対向面の中
央からその先端まで凹段部２３が形成され、該凹段部２３の段差端面２３ａが挿入方向Ｅ
と脱去方向Ｆとに対してほぼ直交する平面視略Ｌ字状に形成されている。上記以外の構成
は図８〜図１０に示す構成とほぼ同じであるから、同一部分に同一符号を付してその説明
を省略する。
【００２２】
傾角調整の手順を説明すると、図５（ａ）に示すように、挿入方向Ｅに沿って調整ばね
１７の一端部をストッパ２２付き位置決め突起部２１に押し付けて嵌合させると共に、該
調整ばね１７の他端部を受座部２Ａ上に挿入して凹段部２３に当接させる。続いて、調整
ばね１７に抗して各傾角調整ボルト１３のねじ込み量を調整してアクトベース２の位置を
微調整することにより、対物レンズＯＬの光軸Ｏ１をラジアル方向ｅ，ｆ及びタンゼンシ
ャル方向ｇ，ｈに傾動させて、その対物レンズＯＬの光軸Ｏ１を半導体レーザ（図示せず
）から発したレーザ光の光軸Ｏ２と一致させ、該アクトベース２と天板部１Ａとの間の複
数箇所に紫外線硬化性接着剤ＵＶを充填し、該接着剤ＵＶに紫外線を照射して硬化させる
ことにより、そのアクトベース２をオプチベース１に固定する。
【００２３】
その後、図５（ｂ）に示すように、脱去方向Ｆに沿って調整ばね１７を引っ張ることに
より、その調整ばね１７を押さえ部２０Ａと受座部２Ａとの間から離脱させる。
【００２４】
上記構成によれば、調整ばね１７を傾角調整の治具として使用するだけで光ピックアッ
プの構成部品とせず、しかも、従来の調整ばね用支持ボルト１６（図１０参照）に相当す
るものも不要であるから、その調整ばね１７及び支持ボルト１６を省略した分だけ部品点
数が少なくなり、構造が簡単で製作費を安くすることができる。
【００２５】
前記位置決め突起部２１が先すぼまり状の円錐形に形成されているから、該位置決め突
起部２１に調整ばね１７の一端部を挿入方向Ｅに沿って押し付けるだけで、その位置決め
突起部２１に対して調整ばね１７の一端部を容易に嵌合させることができ、また、位置決
め突起部２１にストッパ２２が一体形成されているので、該位置決め突起部２１に嵌合さ
せた調整ばね１７の一端部を挿入方向Ｅとは逆向きに引っ張っても、該調整ばね１７の一
端部がストッパ２２に引っ掛かって位置決め突起部２１から外れることがない（図２仮想
線参照）。
【００２６】
更に、調整ばね１７の他端部を挿入方向Ｅに沿って受座部２Ａ上に挿入して凹段部２３
に当接させると、該調整ばね１７の他端部が凹段部２３の段差端面２３ａに当たって停止
されるので、その調整ばね１７の他端部を凹段部２３上の所望位置に確実に位置決めする
ことができる。
【００２７】
しかも、調整ばね１７を脱去方向Ｆに引っ張るだけで、該調整ばね１７の一端部をスト
ッパ２２に阻止されることなく位置決め突起部２１から容易に離脱させることができると
共に、その調整ばね１７の他端部を凹段部２３上から容易に離脱させることができる。
【００２８】
上記第１の実施の形態では、位置決め突起部２１として円錐形のものを示したが、これ
に限定されるわけではなく、例えば半球体状のものや三角錐形のものであってもよく、要
するに先すぼまり状であればよい。
【００２９】
図６及び図７は本発明の第２の実施の形態である光ピックアップの要部を示すものであ
って、所定の対向角度βをおいて設定した挿入方向Ｅ及び脱去方向Ｆに沿って押さえ部２
０Ａ及び受座部２Ａのばね対向面の中央からその先端まで凹段部２３が形成され、該各凹
段部２３の挿入方向Ｅ側の外周縁にその各凹段部２３よりも若干幅ｋだけ高くした抜止突
条２４が一体形成されている。上記以外の構成は図１〜図５に示す第１の実施の形態とほ
ぼ同じであるから、同一部分に同一符号を付してその説明を省略する。
【００３０】
傾角調整の手順を説明すると、図７（ａ）に示すように、挿入方向Ｅに沿って調整ばね
１７の両端部を各抜止突条２４を越えて押さえ部２０Ａと受座部２Ａとの間に挿入して各
凹段部２３に当接させ、続いて、第１の実施の形態と同じ手順で傾角調整を行った後、ア
クトベース２と天板部１Ａとの間の複数箇所に紫外線硬化性接着剤ＵＶを充填し、該接着
剤ＵＶに紫外線を照射して硬化させることにより、そのアクトベース２をオプチベース１
に固定する。
【００３１】
その後、図７（ｂ）に示すように、脱去方向Ｆに沿って調整ばね１７を引っ張ることに
より、その調整ばね１７を押さえ部２０Ａと受座部２Ａとの間から離脱させる。
【００３２】
上記構成によれば、第１の実施の形態（図１〜図５参照）とほぼ同じ効果を得ることが
でき、特に、挿入方向Ｅに沿って調整ばね１７の両端部を各抜止突条２４を越えて押さえ
部２０Ａと受座部２Ａとの間に挿入して各凹段部２３に当接させると、該調整ばね１７の
両端部が各凹段部２３の段差端面２３ａに当たって停止されるので、その調整ばね１７の
両端部を各凹段部２３上の所望位置に確実に位置決めすることができ、また、調整ばね１
７を挿入方向Ｅとは逆向きに引っ張っても、該調整ばね１７の両端部が各抜止突条２４に
当たるので、その調整ばね１７を押さえ部２０Ａと受座部２Ａとの間に確実に保持するこ
とができ、更に、調整ばね１７を脱去方向Ｆに引っ張るだけで、該調整ばね１７の両端部
を押さえ部２０Ａと受座部２Ａとの間から容易に離脱させることができる。
【図面の簡単な説明】
【００３３】
【図１】本発明の第１の実施の形態である光ピックアップを示す平面図である。
【図２】同一部切欠き側面図である。
【図３】図１のＡ−Ａ矢視図である。
【図４】同要部の分解斜視図である。
【図５】（ａ）は同調整ばねの挿入手順を示す要部の縦断面図、（ｂ）は同調整ばねの脱去手順を示す要部の横断面図である。
【図６】本発明の第２の実施の形態である光ピックアップの要部を示す分解斜視図である。
【図７】（ａ）は同調整ばねの挿入手順を示す要部の縦断面図、（ｂ）は同調整ばねの脱去手順を示す要部の横断面図である。
【図８】従来例を示す平面図である。
【図９】同縦断面図である。
【図１０】図８のＢ−Ｂ矢視図である。
【符号の説明】
【００３４】
１            オプチベース
２            アクトベース
２Ａ          受座部
４            レンズホルダ
１１          ねじ孔
１２          貫通孔
１３          傾角調整ボルト
１６          支持ボルト
１７          調整ばね
２１          位置決め突起部
２２          ストッパ
２３          凹段部
２３ａ        段差端面
２４          抜止突条
ＯＬ          対物レンズ
ＵＶ          紫外線硬化性接着剤
Ｏ１          対物レンズの光軸
Ｏ２          レーザ光の光軸
Ｅ            挿入方向
Ｆ            脱去方向
【図１】
2007149247.tif 000003
【図２】
2007149247.tif 000004
【図３】
2007149247.tif 000005
【図４】
2007149247.tif 000006
【図５】
2007149247.tif 000007
【図６】
2007149247.tif 000008
【図７】
2007149247.tif 000009
【図８】
2007149247.tif 000010
【図９】
2007149247.tif 000011
【図１０】
2007149247.tif 000012